(57)【要約】【課題】  ガス駆動式装置において燃焼室の掃気効率を改善すること。【解決手段】  ケーシング（３）と、シリンダヘッド（１）と、装置がある部材に対して押圧されているときに、シリンダヘッド（１）と共に燃焼室（１７）を画成するチャンバスリーブ（４）と、シリンダ（５）と、燃焼室内での空気とガスとの混合物の爆発により押し出され要素を駆動するピストン（１８）とを具備し、ケーシング（３）の後方部分（２８）に該装置を冷却すると共に燃焼室（１７）を掃気するための空気の吸気口（２９）が形成され、装置が開いているとき、チャンバスリーブ（４）の前方部分（２７）とケーシング（３）との間の空間（３２）を燃焼室（１７）から隔離する隔離手段（２４）がチャンバスリーブ（４）に設けられて成る装置が、冷却および掃気用空気を燃焼室（１７）へ直接導くための導入手段（３０）を具備することを特徴とする。【選択図】      図１
2004358655.tif 000002
【特許請求の範囲】
【請求項１】
ケーシング（３）と、
シリンダヘッド（１）と、
装置がある部材に対して押圧されているときに、シリンダヘッド（１）と共に燃焼室（１７）を画成するチャンバスリーブ（４）と、
シリンダ（５）と、
前記燃焼室内での空気とガスとの混合物の爆発により押し出され要素を駆動するピストン（１８）とを具備し、
前記ケーシング（３）の後方部分（２８）に該装置を冷却すると共に燃焼室（１７）を掃気するための空気の吸気口（２９）が形成され、
装置が開いているとき、チャンバスリーブ（４）の前方部分（２７）と前記ケーシング（３）との間の空間（３２）を前記燃焼室（１７）から隔離する隔離手段（２４）が前記チャンバスリーブ（４）に設けられて成る装置において、
前記冷却および掃気用空気を前記燃焼室（１７）へ直接導くための導入手段（３０）を具備することを特徴とする装置。
【請求項２】
前記導入手段が環状ベロー（３０）を具備する請求項１に記載の装置。
【請求項３】
前記環状ベロー（３０）は、前記隔離手段（２４）と前記シリンダヘッド（１）との間に延設されている請求項２に記載の装置。
【請求項４】
前記環状ベロー（３０）は、前記隔離手段（２４）に連結され、かつ、前記シリンダヘッド（１）に固定されている請求項２または３に記載の装置。
【請求項５】
前記隔離手段（２４）および導入手段（３０）が一体成形されている請求項１から４の何れか１項に記載の装置。
【請求項６】
前記隔離手段が柔軟な環状ダイヤフラム（２４）を具備する請求項１から５の何れか１項に記載の装置。
【請求項７】
前記導入手段（３０）が前記チャンバスリーブ（４）に取付られており、燃焼室（１７）から隔離する機能をも発揮するようになっている請求項１から５の何れか１項に記載の装置。
【請求項８】
前記導入手段（３０）がシリンダヘッド（１）の環状周縁部（３１）に固定されている請求項１から７の何れか１項に記載の装置。
【発明の詳細な説明】
【技術分野】
【０００１】
本発明は、受承部材内に要素部材を差し込み、押入、駆動、打擲するための釘打ち機、ステープル打ち機、またはハンマー型の燃焼ガス駆動式装置に関する。
【背景技術】
【０００２】
この種の装置では、カートリッジから燃焼室内に噴出させた気体燃料と空気との混合物を爆発させてシリンダ内でピストンを押し出して、釘やインサート等の締結具(fastener)その他の固定具(anchor)等の要素部材を受承部材内に押し込むようになっている。装置が受承部材に対して押圧されていない間の暴発を防止する安全装置とは別に、この主の装置はケージ(cage)と称される部材を有しており、該ケージは、装置が何かある部材に対して押圧されている間、可動インサートガイドであるフィーラーによって、チャンバスリーブを後方に押圧して、爆発を起こさせるための点火プラグを設けたシリンダヘッドに当接させる。こうして、前記スリーブ、シリンダヘッドおよびピストンクラウンによって燃焼室が画成される。前記ケージとスリーブはネジにより互いに連結されている。更に、ケージは、装置を開放位置へ復帰させる戻りバネに対抗して後退させられ、ピストンシリンダに対して支持される。
【０００３】
装置が閉鎖位置にあるとき、燃焼室は、その後端においてシリンダヘッドとチャンバスリーブとの間でＯリングによりシールされる。
開放位置では、点火後に、装置は、排気すると供に後端から新鮮な空気を吸い込むことにより冷却される。燃焼室内にファンが配設されている場合にはファンを回転して掃気を促進する。
【０００４】
掃気に際して、燃焼ガスが燃焼室内へ再循環することを防止するために、柔軟な環状ダイヤフラムをチャンバスリーブの後方部分に取付、チャンバスリーブと装置のケーシングとの間の環状空間を燃焼室から隔離することができる。
【発明の開示】
【発明が解決しようとする課題】
【０００５】
然しながら、周知のガス駆動式装置は、掃気する開放位置に不必要な環状空間を有しており、実際の掃気効率が低減する。この空間は、通常はケーシング、チャンバスリーブの後方部分およびシリンダヘッドの環状縁部との間に形成されている。
本発明は、こうした従来技術の問題を解決することを技術課題としている。
【課題を解決するための手段】
【０００６】
この目的を達成するために、ケーシングと、シリンダヘッドと、装置がある部材に対して押圧されているときに、シリンダヘッドと共に燃焼室を画成するチャンバスリーブと、シリンダと、前記燃焼室内での空気とガスとの混合物の爆発により押し出され要素を駆動するピストンとを具備し、前記ケーシングの後方部分に該装置を冷却すると共に燃焼室を掃気するための空気の吸気口が形成され、装置が開いているとき、チャンバスリーブの前方部分と前記ケーシングとの間の空間を前記燃焼室から隔離する隔離手段が前記チャンバスリーブに設けられて成る装置において、前記冷却および掃気用空気を前記燃焼室へ直接導くための導入手段を具備することを特徴とする装置が提供される。
【０００７】
前記導入手段により本発明の装置では、不必要な空間が除去される。
好ましくは、前記導入手段は環状ベローを具備しており、該環状ベローは、前記隔離手段と前記シリンダヘッドとの間に延設され、適宜、前記隔離手段に連結され、前記シリンダヘッドに固定することができる。
【０００８】
この場合、前記隔離手段は柔軟な環状ダイヤフラムを具備することができる。
然しながら、前記導入手段は、また、前記チャンバスリーブに直接取付けて、燃焼室から隔離する機能をも発揮するようにすることができる。
【発明を実施するための最良の形態】
【０００９】
以下、添付図面を参照して本発明の装置の好ましい実施形態を説明する。
点火プラグ（図示せず）とモータ駆動式ファン装置２を備えたシリンダヘッド１の前方に、装置を保持、操作するためのハンドルと、ガスカートリッジおよび要素部材装填装置が設けられている。装置は、更に、ケーシング３の中に、チャンバスリーブ４、シリンダ５、シリンダ５において断面が小さく形成された前部６、燃焼室を閉鎖するケージ７、締結具ガイド８を具備している。
【００１０】
締結具ガイド８は、本実施形態ではネジにより並進可能にケージに固定されており、ケージの前方部分９が締結具ガイド８の後方部分を包囲している。ケージ７の前方部分９は、その２つの側部腕１０により後方へ延設されている。
【００１１】
前記ケージの２つの腕１０、１１は、チャンバスリーブ４の前方部分１２までシリンダ７の外側縁に沿って延設されている。
燃焼室を開放位置へ復帰させるためのバネ１３が、シリンダの外壁に沿って延設されており、これらのバネはケージ７に連結され、かつ、シリンダの環状肩部１５に当接している。
【００１２】
詳細には説明しないが、従来の方式と同様に、チャンバスリーブ４の後方部分１６は、該装置の燃焼室１７の一部を形成している。
押出ピストン１８およびその押出棒２０が、シリンダ６に取付けられており、該ピストンのクラウン１９が燃焼室１７の一部を形成している。シリンダ６の後方部分２１にはシール部材２２を受容する溝が形成されており、該シール部材２２は、閉鎖位置において、チャンバスリーブ４と共に燃焼室１７の前方部分をシールするようになっている。
【００１３】
また、シリンダヘッド１にはシール部材２３を受容する溝が形成されており、該シール部材２３は、閉鎖位置において、チャンバスリーブ４の後方部分１６と共に燃焼室１７の後方部分をシールするようになっている。
【００１４】
柔軟なエラストマ製環状ダイヤフラム２４の内周縁部が周溝２５内に嵌合されている。周溝２５は、該装置の中心軸線２６に対して垂直な平面においてチャンバスリーブ４の後方部分１６に形成されている。該装置が開いているとき（図２）、ダイヤフラム２４によりチャンバスリーブ４の前方部分２７とケーシング３との間の空間３２から燃焼室１７を隔離可能となり、排気に際して燃焼ガスの再循環が防止される。
【００１５】
ケーシング３の後方部分２８には吸気口２９が形成されており、該装置を冷却すると共に燃焼室１７内を掃気するための新鮮な空気が導入される。
柔軟なエラストマ製環状ベロー３０が、隔離ダイヤフラム２４からシリンダヘッド１の後端部分３１まで延設されており、本実施形態ではネジにより同後端部分に固定されている。
【００１６】
ベロー３０は、装置が開いている（図２）とき、吸気口２９から吸い込まれた空気を、空気の流れ３３を乱すことなく、燃焼室１７へ直接導入する。吸い込まれた空気は、シリンダヘッド１の周囲を通過し、シリンダヘッドの後端部分３１とチャンバスリーブ４の後方部分１６との間に形成される通路を通過して、燃焼室１７へ直接的に到達する。
【００１７】
環状溝（２５）に嵌合させたダイヤフラム（２４）と、ダイヤフラム（２４）から延長するベロー（３０）とを備えた装置について説明した。然しながら、ベローをチャンバスリーブの周溝に嵌合させ、ダイヤフラムを省略して、燃焼室の隔離機能と新鮮な空気の導入機能とをベローに持たせるようにしてもよい。
【図面の簡単な説明】
【００１８】
【図１】閉鎖位置にある本発明の装置の長手方向の断面図である。
【図２】開放位置にある本発明の装置の長手方向の断面図である。
【符号の説明】
【００１９】
１…シリンダヘッド
２…モータ駆動式ファン装置
３…ケーシング
４…チャンバスリーブ
５…シリンダ
７…ケージ
８…締結具ガイド
１３…バネ
１７…燃焼室
２４…ダイヤフラム
２５…環状溝
３０…ベロー
【図１】
2004358655.tif 000003
【図２】
2004358655.tif 000004